(57)【要約】      （修正有）【課題】大量の有機性廃棄物の減容処理（炭化および焼却）と、ダイオキシン等の有害物質の発生の防止を図り、さらに温水の供給をすることができる温水供給システムを提供する。【解決手段】本発明による温水供給システムは、減容組立体Ｉと、燃焼組立体ＩＩと、温水を発生する熱交換組立体ＩＩＩと、前記減容組立体Ｉが発生する一定の温度以下のガスを燃焼室に接続する低温ガス接続手段である安全装置１２と、前記燃焼組立体ＩＩの高温気体を熱交換機０に接続する高温気体接続手段である配管２８と、から構成されている。【選択図】図１
2007298186.tif 000002
【特許請求の範囲】
【請求項１】
処理対象の有機物を減容し、有害物質を含む一定の温度以下の排気ガスを発生する減容器を含む減容組立体と、
有機物燃料を燃焼させ高温気体を発生する燃焼室を有する燃焼組立体と、
高温気体と熱交換をする熱交換器を含み温水を発生する熱交換組立体と、
前記減容組立体が発生する一定の温度以下のガスを前記燃焼室に接続する低温ガス接続手段と、
前記燃焼組立体の高温気体を熱交換設備に接続する高温気体接続手段と、
から構成した温水供給システム。
【請求項２】
前記減容組立体は、有機物を含む廃棄物を炭化により減容し、前記一定温度は８００℃を越えない温度である請求項１記載の温水供給システム。
【請求項３】
前記燃焼組立体の有機物燃料は木質ペレットであり、８００〜１０００℃の燃焼ガスを発生する請求項１記載の温水供給システム。
【請求項４】
前記低温ガス接続手段は、切り換え弁と、減容器からの排気ガスの温度を検知する温度センサと、前記温度センサの出力に基づいて切り換え弁を駆動する制御回路とを含み、
前記一定の温度を越える排気ガスを排出し、前記一定の温度以下の排気ガスを燃焼組立体に供給するものである請求項１記載の温水供給システム。
【発明の詳細な説明】
【技術分野】
【０００１】
本発明は、低温廃棄ガスの再燃焼処理を必要とする廃棄物減容器と、可燃性廃棄物あるいは可燃性廃棄物から造った燃料相当品を熱源とする燃焼領域をもつ温水ボイラを組み合わせた温水供給システムに関する。
【背景技術】
【０００２】
有機性廃棄物の減容は、一般的に機械的方法、微生物的方法、燃焼方法等によって行われている。このうち、燃焼方法（炭化を含む）は残留物がきわめて少ない点に着目され、種々の提案（例えば特許文献１）がなされている。
しかし、低温の排気ガスを多量に発生し、ダイオキシン発生の危険性が高いので、排気ガスを、８００℃を越える温度での二次燃焼をさせる必要がある。そのための専用の装置も提案されている（例えば特許文献２）。
【特許文献１】特開２００４−１３６２４９号公報
【特許文献２】特開２０００−３４６３２４号公報
【発明の開示】
【発明が解決しようとする課題】
【０００３】
木質系の廃棄物などを燃料とした温水ボイラが知られている。このボイラは、木質系の廃棄物などを燃料とすることにより木質系の廃棄物の減容と温水を提供できるという特徴がある。しかし温水ボイラの燃料としては使えない、大量の有機性廃棄物の処理には適していない。
本発明の目的は、前述した燃焼方法（炭化を含む）で残留物をきわめて少なくすることができる減容器と、温水ボイラを組み合わせて、
（ア）大量の有機性廃棄物の減容処理（炭化および焼却）（イ）ダイオキシン等の有害物質の発生の防止を図りさらに（ウ）温水の供給をすることができる温水供給システムを提供することにある。
【課題を解決するための手段】
【０００４】
前記目的を達成するために、本発明による請求項１記載の温水供給システムは、
処理対象の有機物を減容し、有害物質の発生が予想される一定の温度以下のガスを含む排気ガスを発生する減容器を含む減容組立体と、
有機物燃料を燃焼させ高温気体を発生する燃焼室を有する燃焼組立体と、
高温気体と熱交換をする熱交換器を含み温水を発生する熱交換組立体と、
前記減容組立体が発生する一定の温度以下のガスを前記燃焼室に接続する低温ガス接続手段と、
前記燃焼組立体の高温気体を熱交換設備に接続する高温気体接続手段と、から構成されている。
【０００５】
本発明による請求項２記載の温水供給システムは、請求項１記載の温水供給システムにおいて、前記減容組立体は、酸素を制限した燻焼により有機物を含む廃棄物を炭化により減容し、前記一定温度は８００℃に満たない温度である。
本発明による請求項３記載の温水供給システムは、請求項１記載の温水供給システムにおいて、前記燃焼組立体の有機物燃料は木質ペレットであり、８００〜１０００℃の燃焼ガスを発生するように構成されている。
【０００６】
本発明による請求項４記載の温水供給システムは、請求項１記載の温水供給システムにおいて、
前記低温ガス接続手段は、切り換え弁と、減容器からの排気ガスの温度を検知する温度センサと、前記温度センサの出力に基づいて切り換え弁を駆動する制御回路とを含み、
前記一定の温度を越える排気ガスを排出し、前記一定の温度以下の排気ガスを燃焼組立体に供給するように構成されている。
【発明の効果】
【０００７】
前記構成によれば、廃棄物の減容を、燻焼、炭化、焼却等の多面的な手法により実現することができる。さらにこれらに関連してダイオキシン等の有害物質の発生の防止を専用のバーナ等を用いることなく温水ボイラに関連して実現することができる。
【発明を実施するための最良の形態】
【０００８】
以下、図面等を参照して本発明の実施の形態を詳しく説明する。図１は、本発明による温水供給システムの実施の形態を示す概略図である。
本発明による温水供給システムは、基本的に減容組立体（Ｉ）と、燃焼組立体（ＩＩ）と、熱交換組立体（ＩＩＩ）を含んでいる。減容組立体（Ｉ）の有害物質の発生が予想される一定の温度以下のガスは、低温ガス接続手段により燃焼組立体（ＩＩ）に、接続される。高温気体接続手段は、燃焼組立体（ＩＩ）で発生した高温気体を熱交換設備に接続する。さらに、熱交換組立体（ＩＩＩ）で用いられた高温気体を排気処理する排気処理組立体（ＩＶ）を設けることができる。
【０００９】
前記システムの減容組立体（Ｉ）は一例であり、他の構成を用いることもできる。燻焼式減容化の原理による減容器１０には、図１に示すように負イオン発生源１１で発生した負イオンがファン１９により減容器１０の給気口Ｈから送り込まれる。被処理物として、おが屑、プラスチック、プラスチックフィルム、木質系廃棄物、生ゴミを用いることができる。
【００１０】
減容器１０内では、負イオンの効果と、減容器への空気の導入の制限により、非火災型の燻焼が進み、低温にて減容される。図１に示されているように、減容器１０の上方に扉付の投入口１７が設けられ、下方には残留物を、減容処理をしていない時に適時排出するためのベルトコンベア１３が配置されている。
【００１１】
以上のようにして、減容器１０は、有機性廃棄物を自燃させるが、その他一般に焼却炉と称されるもの、あるいは、空気の導入をおさえ、燻焼させる方式の減容器では、いずれの方式においても、排気ガスが８００℃を越えない場合には、排気ガス中にダイオキシンが含まれる危険性が高い。
そこで、この排気ガスは、次の燃焼組立体（ＩＩ）において８００℃を越える高温で処理される。
減容組立体（Ｉ）には安全装置１２，セパレータ１５，受けタンク１６が設けられ、燃焼組立体（ＩＩ）には吸引ファン２５，押込ファン２６が設けられ、これらが共同して低温ガス接続の機能を果たす低温ガス接続手段を形成している。
【００１２】
セパレータ１５は、減容器１０から排気中の蒸気を凝縮させ、受けタンク１６に落とし、燃焼組立体（ＩＩ）に、蒸気が入るのを防止する。
減容器１０とセパレータ１５の間には、安全装置１２が配置されている。
図２は本発明によるシステムの低温ガス接続手段の動作を説明するための略図であって、同図（Ａ）は低温ガスの接続状態を、同図（Ｂ）は高温ガスの放出状態を示している。
安全装置１２は、減容器１０からの排気温度がたとえば２００℃を越えたとき、排気をセパレータ１５に入れず、安全領域に排出するものである。
【００１３】
安全装置１２は減容器１０からの排気ガスの温度を検出するための温度センサ１２１，制御器１２２，制御器１２２により駆動される電磁アクチュエータ１２３を含んでいる。安全装置１２の本体内には弁体１２０が本体内で滑動可能に配置されており、同図（Ａ）にしめされている状態である弁体１２０は、電磁アクチュエータ１２３により図示の位置に係止されており、減容器１０からの排気ガスをセパレータ１５に接続している。
温度センサ１２１により減容器１０からの排気ガスが２００℃を越えたときは、制御器１２２を介して電磁アクチュエータ１２３のプランジャが引き込められ、弁体１２０は、弁体の自重で落下し、減容器１０からのガスを安全領域に放出する（同図（Ｂ））。
【００１４】
燃焼組立体（ＩＩ）では、燃焼室２０にペレット供給口２３から木質ペレットが導入され、これを燃料として、８００から１０００℃の燃焼ガスを発生する。この燃焼ガスが水との熱交換のために、熱交換組立体（ＩＩＩ）に送り込まれる。
燃焼組立体（ＩＩ）の燃焼室２０の下方には回転ロストル２２および、その下には灰出口２４が設けられている。
燃焼室２０の下方からは、押込ファン２６によって燃焼のための空気が導入される。また吸引ファン２５によって、セパレータ１５からの気体が、押込ファン２６からの空気と合流して、燃焼室２０の下方に送り込まれる。
燃焼室２０の上部には機械的安全装置２７が設けられ、停電や、制御系の異状時に、燃焼室２０内の気体を、安全領域に排出するように構成されている。
【００１５】
燃焼室２０からの高温排気は、配管２８を通って、熱交換組立体（ＩＩＩ）の熱交換器３０の高温側に導入される。配管２８は、燃焼組立体（ＩＩ）の高温気体を熱交換組立体（ＩＩＩ）に接続する高温気体接続手段を構成している。
【００１６】
熱交換組立体（ＩＩＩ）に設けられている熱交換器３０は、たとえばフィン付管を使った多管式で、燃焼室２０から配管２８を通ってきた高温の排気気体と、水導入口３３から入ってきた低温水を、フィン付管の、フィンおよび壁部で熱交換し、加熱して、温水として、温水供給口３４から供給する。
熱交換組立体（ＩＩＩ）には、熱交換に使った高温気体が入る高温気体室３１が設けられている。
【００１７】
排気処理組立体（ＩＶ）は、熱交換組立体（ＩＩＩ）である程度、低温化された高温気体を、さらに低温化し、微粒子を除去したあと、排気する組立体である。
排気処理組立体（ＩＶ）は、気体から、気体に含まれている微粒子を除去するための、サイクロン４１をもっている。サイクロン４１の下方には集塵容器４２が設けられており、上端には排気口４３が設けられている。
熱交換組立体（ＩＩＩ）で熱交換に使われた高温気体は、吸引ファン４４により、サイクロン４１の上方部に導入され、サイクロン現象により、微粒子は集塵容器４２に入り、気体は排気口４３から排出される。
【産業上の利用可能性】
【００１８】
本発明によれば、廃棄物の減容を、燻焼、炭化、焼却等の多面的な手法により実現することができる。さらにこれらに関連してダイオキシン等の有害物質の発生の防止を専用のバーナ等を用いることなく温水ボイラに関連して実現することができる。
したがって、本発明は、廃棄物処理産業、また燃焼組立体で用いられる木材ペレットは、間伐材の利用につながるから、林業の分野にも利用できる。
【図面の簡単な説明】
【００１９】
【図１】本発明による温水供給システムの実施例を示す略図である。
【図２】本発明によるシステムの低温ガス接続手段の動作を説明するための略図であって、同図（Ａ）は低温ガスの接続状態を、同図（Ｂ）は高温ガスの放出状態を示している。
【符号の説明】
【００２０】
Ｉ  減容組立体
１０  減容器
１１  負イオン発生源
１２  安全装置
１２０  弁体
１２１  温度センサ
１２２  制御器
１２３  電磁アクチュエータ
１３  コンベア
１５  セパレータ
１６  受けタンク
１７  投入口
１９  ファン
ＩＩ  燃焼組立体
２０  燃焼室
２２  回転ロストル
２３  ペレット供給口
２４  灰出口
２５  吸引ファン
２６  押込ファン
２７  機械的安全装置
２８  配管
ＩＩＩ  熱交換組立体
３０  熱交換器
３１  高温気体室
３３  水導入口
３４  温水供給口
ＩＶ  廃棄処理組立体
４１  サイクロン
４２  集塵容器
４３  排気口
４４  吸引ファン
【図１】
2007298186.tif 000003
【図２】
2007298186.tif 000004